(57)【要約】【課題】睡眠休息を阻害するいびき・無呼吸を誘発する、下顎骨の気道への沈下圧迫を防止する。睡眠時に違和感がないよう、枕にふれない顔前面のみで固定され、鼻腔が変形せず、かつしっかりと接着され、下顎骨を引き付け固定し、立体的な顔に沿う器具。【解決手段】鼻上部の鼻骨による突起部を接着及び固定点として、鼻の突起部を迂回、口の脇を通り顎の下において合流する形状である。材料は顔の形状に沿う可撓材で、鼻骨による突起部と下顎にあたる部分に粘着剤もしくは滑り止めを施す。下顎骨を上顎に引き付け固定し、下顎骨沈下による気道の圧迫を防止する。柔らかな鼻頂点に力がかからないので鼻腔変形が起こらず呼吸を阻害しない、また固定のための引っかかりを得てはがれにくい。口部分が開いているため病気等で鼻呼吸が困難な方でも容易に呼吸が出来、装着違和感が少なく、無意識の掻き、はがしを防止する。【選択図】  図２
0003132717.tif 000002
【実用新案登録請求の範囲】
【請求項１】
顔面に装着され、下顎骨を上顎に引き付けることで、下顎骨沈下による気道圧迫を防止するいびき無呼吸矯正器具において、顔面に装着される際に鼻上部の鼻骨突起部と下顎部に粘着剤が施され、鼻孔及び口を塞がないような形状を有する可撓性の部材からなり、鼻上部の鼻骨突起部と下顎部とを作用点として、下顎骨を上顎に引き付けることを特徴とするいびき無呼吸矯正器具
【考案の詳細な説明】
【技術分野】
【０００１】
本考案は睡眠時の無呼吸・いびきを誘発する下顎骨の気道への沈下圧迫を防ぐ矯正器具に関するものである。
【背景技術】
【０００２】
【特許文献１】特開２００３−９３４２３  号公報
【特許文献２】特開平１１−７６２８６  号公報
【特許文献３】特開２００５−７１０４  号公報例えば上記特許文献１〜３においては睡眠時の無呼吸・いびきを解消するため帽子やバンドでの下顎骨の固定、口呼吸の防止、口を開かないテープなどで解消しようとした。
【考案の開示】
【考案が解決しようとする課題】
【０００３】
（１）いびき・無呼吸の改善は本来深い睡眠を目的とするが、これまでの帽子やベルトでは枕との間に異物感があり、意図に反して睡眠を阻害しかねない。
（２）下顎骨を上顎骨ひきつけるテープの接着面が鼻頂点にあると、テープが下に引っ張られる際、その部分は柔らかいため鼻腔が変形圧迫され鼻呼吸が困難になり、睡眠を阻害してしまう。また違和感により剥がしてしまう。
（３）鼻は突起状の立体形状であるためテープの接着力が低く、寝具のすれ等で剥がれる。
（４）口を閉じるだけではその状態で食物を咀嚼出来るように顎骨の沈下を防ぐことは難しく、またふさがれることで口呼吸が阻害され、病気等で鼻呼吸が困難な人に装着は危険である。
よって、枕にふれない顔前面のみで固定され、鼻の頂点に下顎固定の力のかからず、かつしっかりと接着され、口を閉じるだけでなく、下顎骨自体をひっぱり固定し、立体的な顔に沿うよう加工された形状であることが必要とされる。
【課題を解決するための手段】
【０００４】
顔面に装着され、下顎骨を上顎に引き付けることで、下顎骨沈下による気道圧迫を防止するいびき無呼吸矯正器具において、顔面に装着される際に鼻上部の鼻骨突起部と下顎部に粘着剤が施され、鼻孔及び口を塞がないような形状を有する可撓性の部材からなり、鼻上部の鼻骨突起部と下顎部とを作用点として、下顎骨を上顎に引き付けることを特徴とするいびき無呼吸矯正器具
【考案の効果】
【０００５】
鼻骨による突起部を固定、接着点とし、鼻の周りを迂回し下方へ伸びる形状により、鼻の頂点を圧迫しないので鼻腔の変形が起こらず、呼吸が装着前と同様に行える。
器具が鼻骨上部の硬い部分に引っかかるため下顎を固定することで発生する下方向へ引っ張られる力に耐えることが出来る。
下顎部も顎の突起を迂回することにより器具が外れにくく、ずれを防ぐ。
鼻骨部と下顎部がそれぞれ引っかかりを得ること及び、それを補完する粘着剤により、下顎骨を上顎に強力に引き付けることが可能となり、筋肉弛緩による下後骨の気道への沈下を防ぐことができる。
口部分を覆わないために鼻呼吸が困難な人でも口呼吸をすることで装着による危険性が薄れる。
【考案を実施するための最良の形態】
【０００６】
本考案を実現するにおいて睡眠を阻害しないよう、素材はテープ・不織布・布・ゴム・プラスチック・シリコンなど、薄い素材や体のラインに沿う可撓性部材を用意する。
考案実現の一形態として、テープ・不織布・布・ゴムなどの帯状材を全長１７ｃｍ幅5.5ｃｍに裁断し、鼻部分の穴（図中b）は長さ５ｃｍ幅４ｃｍ、顎の穴は長さ９ｃｍ幅４ｃｍとする。
その他上記サイズ以外にもいくつかのサイズを用意する。
鼻の部分の穴は三角形状としその回りの器具の幅（図中c）は７.5ｍｍとし、図２のように目にかからないよう配慮する。
鼻呼吸困難な人が口呼吸もできるよう、口にあたる部分も開けておく。
【０００７】
本考案実現の別形態として図４のようにプラスティック・シリコンを材料とし、鼻部パーツ（図中e）と顎部パーツ（図中i）を立体材により形成し、長さ調整機能（図中h）のついたベルト（図中g）でつなぐ。
【０００８】
図３及び図６の図中dのように器具の鼻骨部分・下顎骨部分がそれぞれずれないように粘着剤や両面テープなど肌に害のない粘着剤を塗布する。これにより矯正器具を鼻上部の鼻骨突起部と下顎部を作用点として粘着固定できる。
装着時材料同士がくっつかないよう粘着面は必要最低限とする。
【０００９】
子供には装着を楽しくさせるためプロレスマスクや動物の模様をプリントした商品を用意する。
カモミール等の安眠成分やミント等の粘膜の炎症を抑え鼻の通りをよくする成分、チタンやゲルマニウムなど希少金属成分を含んだ商品を用意する。
【００１０】
材料は顔面に沿うものを選択する。
固定時の違和感がない様、適度に伸縮性のあるものを使う。
大きなテーブルを用意し、テープ・不織布・布・ゴムなど材料がロール状になったものは加工しやすい大きさに切りそろえ、切り出すことのできる適度な枚数を重ねておく。
器具の形を切り抜けるような裁断型を製造し、重ねた生地の上から押し付け、また、叩き材料から切り出す。
裁断型は専門の業者に製造委託もしくはフライス盤等で金属平板を加工する。連続で切り出すとき型につまらないように器具と余りの材料を部分的につなげておくとよい。
【００１１】
鼻骨上部・顎部にあたる部分に顔への粘着剤をつける。
糊付けの形状にスポンジ等を加工し、液状の粘着剤を吸着させスタンプを捺すようにすると容易である。
つけられた糊で器具同士がくっつかないよう保護シールを貼っておく。
他の方法として、事前にその形の両面テープを製造し片面のみ保護シールをはがし貼り付ける。
大量に器具を製造する場合はロール状の材料を引き出しながら、型により切断、のり付、保護シールをはる自動装置を開発する。
【００１２】
上記方法で切り出すことが困難な材料を使う場合は、図面をコンピューターに読み込ませX軸Y軸に動く二次元プロッターにカッターを装着し切り出す。
それも困難な場合水やレーザーで裁断する。
【００１３】
器具をプラスチック・シリコンで作る場合型に入れて成型する。
元となる型の製造方法としてひとつには、モデルとなるひとの鼻・顎に速乾性粘土やパテを塗り、器具の形を整える。
乾いた後やすりなどでより整える。使う材料によって適切な厚みを与え、長さ調節用のバンド通しの穴も開ける。
製品型をもとに製造用の金型・シリコン型を製造する。
金型はデジタイジング加工等、立体的な形を計測しNC加工によって製造する。
シリコン型は製品型をシリコンで覆い硬化させて作るが、型の耐久性が悪いので試作程度に留める。
長さ調節のバンドは鼻顎部材に伸縮性のある場合バンド自体には伸縮性がなくてもよい。スナップ等で簡単に脱着できるようにする。
【００１４】
本考案実現において主に使い捨てと繰り返し使う二つの方法があげられる。
帯状材を切り抜いて作る場合、安価に大量生産が可能である。
既存の単純な技術で実現可能である。
一方プラスティック、シリコンによる立体形状の場合繰り返して使える。
平均的な形状の製品も作れるし、その人の顎の形状にあったオーダーメイドの商品も作れる。
【００１５】
各個人の微妙なサイズの差は顎の入れる具合・接着位置・などで調整する。
プラスティック・シリコンを材料とするものは、鼻部・顎部と別部品とし、ベルト等で長さを調節する。
眠る前に装着する。
粘着剤保護シールを残したまま顔にあてがい、接着部分が鼻骨上部と下顎骨にしっかりかかるよう調節する。
鼻腔上部をすこしめくり、粘着剤保護シールをはがし接着する。
同様、下顎骨接着部を少しめくり粘着剤保護シールをはがし接着する。
【図面の簡単な説明】
【００１６】
【図１】本考案実現の一形態に係るいびき無呼吸矯正器具の正面図である
【図２】本考案実現の一形態に係る器具の装着状態を示す正面ならびに側面図である
【図３】本考案実現の一形態に係る器具の裏面の図である
【図４】本考案実現の別形態に係るいびき無呼吸矯正器具の正面図である
【図５】本考案実現の別形態に係る器具の装着状態を示す正面ならびに側面図である
【図６】本考案実現の別形態に係る器具の裏面の図である
【符号の説明】
【００１７】
a鼻骨による突起部
b鼻用穴
c鼻周辺帯材
d粘着剤塗布位置
e鼻部立体材
f長さ調節ベルト通し穴
g顎部材引き付けベルト
hベルト長調整器具
i顎部立体材
【図１】
0003132717.tif 000003
【図２】
0003132717.tif 000004
【図３】
0003132717.tif 000005
【図４】
0003132717.tif 000006
【図５】
0003132717.tif 000007
【図６】
0003132717.tif 000008
【手続補正書】
【提出日】平成19年4月24日(2007.4.24)
【手続補正１】
【補正対象書類名】実用新案登録請求の範囲
【補正対象項目名】全文
【補正方法】変更
【補正の内容】
【実用新案登録請求の範囲】
【請求項１】
顔面に装着され、下顎骨を上顎に引き付けることで、下顎骨沈下による気道圧迫を防止するいびき無呼吸矯正器具において、装着される際に鼻上部の鼻骨突起部と下顎部とを接着及び固定点として、材料が鼻両脇、口周辺部を通る、もしくは立体形状の材料によりその上を覆うように通る、鼻頂点、口を圧迫せず、下顎骨を上顎に引き付けることを特徴とするいびき無呼吸矯正器具。